(57)【要約】【課題】伸縮性布部材を顔面に的確に密着させることができる防塵用頭巾を提供する。【解決手段】通気透湿性シート材により装着者２０の頭部２１及び頸部２２を被うように形成された頭巾本体２を有し、頭巾本体２には、顔面所要部を露出させる顔面開口部３が形成され、顔面開口部３の周縁に沿って伸縮性帯状布部材４が周設された防塵用頭巾１において、伸縮性帯状布部材４は上側帯状布部４ａと略Ｕ字状に延びる下側帯状布部４ｂとからなり、上側帯状布部４ａの両端部に下側帯状布部４ｂの両端部が接合され、帯状布部４ａ，４ｂの両接合部５，５には、頭巾本体２の外側から装着者２０の頭部２１の後部側所要部に掛着して、帯状布部材４を装着者２０の顔面に密着させるように後方へ引張するための密着用伸縮バンド６の両端部が縫着されている。【選択図】図４
2006022434.tif 000002
【特許請求の範囲】
【請求項１】
通気透湿性シート材によって、装着者の頭部、頸部及び肩部のうち少なくとも頭部と頸部とを被うように形成された頭巾本体を有し、この頭巾本体には、装着者の顔面のうち少なくとも両眼を露出させる顔面開口部が形成され、この開口部の周縁に沿って伸縮性の帯状布部材が周設された防塵用頭巾において、
前記伸縮性帯状布部材は、顔面開口部の上側周縁部に沿って略直線状に延びる上側帯状布部と、顔面開口部の下側周縁部に沿って略Ｕ字状に延びる下側帯状布部と、からなり、上側帯状布部の両端部に下側帯状布部の両端部が接合され、これら帯状布部の両接合部には、頭巾本体の外側から装着者の頭部の後部側所要位置に掛着して、帯状布部を装着者の顔面に密着させるように後方へ引張するための密着用伸縮バンドの両端部が取り付けられていることを特徴とする防塵用頭巾。
【請求項２】
前記密着用伸縮バンドは、上側帯状布部と下側帯状布部との接合部付近における交角の略二等分線に沿った位置に配置された状態で、この伸縮バンドの端部が上側帯状布部と下側帯状布部との接合部に取り付けられていることを特徴とする請求項１に記載の防塵用頭巾。
【請求項３】
前記上側帯状布部と下側帯状布部との接合部の裏面側に、前記装着者がかける眼鏡の蔓を挿脱自在に挿通させるための挿通部が設けられていることを特徴とする請求項１又は２に記載の防塵用頭巾。
【請求項４】
前記挿通部は、一端部を上側帯状布部の裏面側に縫着し且つ他端部を下側帯状布部の裏面側に縫着した矩形状布片と、前記両帯状布部の接合部との間に形成されることを特徴とする請求項１〜３の何れかに記載の防塵用頭巾。
【発明の詳細な説明】
【技術分野】
【０００１】
本発明は、医薬品、化粧品、食品等を製造する工場や、半導体等を製造するクリーンルーム等で使用する防塵用頭巾に関するものである。
【背景技術】
【０００２】
医薬品、化粧品、食品等を製造する工場、半導体等を製造するクリーンルーム等で作業する作業者や検査者等の頭巾装着者が装着し、装着者の頭部、頸部及び肩部とを被包して装着者に付着した塵埃や装着者の頭髪が製品に混入するのを防ぐ防塵用頭巾が、例えば特許文献１に記載されている。この特許文献１に記載の防塵用頭巾は、装着者の頭部及び頸部周辺を被うように形成された頭巾本体を有し、この頭巾本体には顔面開口部が形成され、この顔面開口部の周縁に沿って帯状の伸縮性布部材が周設されていて、この伸縮性布部材の外側縁を顔面開口部の周縁内側に縫着することにより、自由端となる伸縮性布部材の内側縁が防塵用頭巾の内側方向へ開いて顔面開口部と離間した顔接触面を形成するようにしたもので、この伸縮性布部材からなる顔接触面が常に顔面とソフトタッチで接触して、顔面開口部との隙間を閉ざすことができ、頭髪等の異物の飛散を防止するとしている。
【特許文献１】特開平１０−２５６１３号公報
【発明の開示】
【発明が解決しようとする課題】
【０００３】
人の顔には、丸顔、長丸顔、四角顔等々様々な形があり、また太って肉付きの良い顔もあれば、痩せ顔等々様々である。然るに、上記特許文献１の防塵用頭巾にあっては、伸縮性布部材の自由端である内側縁が顔接触面を形成するようにしたものであるから、頭巾装着者の種々異なった形や形態の顔に対応して、顔面と伸縮性布部材との隙間を確実に塞ぐことが難しく、また頭を動かさない静止状態ではその隙間を確実に塞ぐことはできても、急に顔を横に向けたり、上や下に向ける時には隙間ができ易く、頭髪等が飛散するおそれがあった。
【０００４】
本発明は、上記のような従来の防塵用頭巾における問題点を解消したもので、頭巾装着者の種々異なった形や形態の顔に応じて、伸縮性布部材を顔面に的確に密着させることができ、顔面と伸縮性布部材との間に隙間を生じさせることのない防塵用頭巾を提供することを目的とする。
【課題を解決するための手段】
【０００５】
上記課題を解決するための手段を、後述する実施形態の参照符号を付して説明すると、請求項１に係る発明は、通気透湿性シート材によって、装着者２０の頭部２１、頸部２２及び肩部２３のうち少なくとも頭部２１と頸部２２とを被うように形成された頭巾本体２を有し、この頭巾本体２には、装着者２０の顔面のうち少なくとも両眼を露出させる顔面開口部３が形成され、この開口部３の周縁に沿って伸縮性の帯状布部材４が周設された防塵用頭巾１において、前記伸縮性帯状布部材４は、顔面開口部３の上側周縁部３ａに沿って略直線状に延びる上側帯状布部４ａと、顔面開口部３の下側周縁部３ｂに沿って略Ｕ字状に延びる下側帯状布部４ｂと、からなり、上側帯状布部４ａの両端部に下側帯状布部４ｂの両端部が接合され、これら帯状布部４ａ，４ｂの両接合部５，５には、頭巾本体２の外側から装着者２０の頭部２１の後部側所要部に掛着して、帯状布部４ａ，４ｂを装着者２０の顔面に密着させるように後方へ引張するための密着用伸縮バンド６の両端部が取り付けられていることを特徴とする。
【０００６】
請求項２は、請求項１に記載の防塵用頭巾において、前記密着用伸縮バンド６は、上側帯状布部４ａと下側帯状布部４ｂとの接合部５付近における交角θの略二等分線９に沿った位置に配置された状態で、この伸縮バンド６の端部６ａが上側帯状布部４ａと下側帯状布部４ｂとの接合部５に取り付けられていることを特徴とする。
【０００７】
請求項３は、請求項１又は２に記載の防塵用頭巾において、前記上側帯状布部４ａと下側帯状布部４ｂとの接合部５の裏面側に、前記装着者２０がかける眼鏡２４の蔓２５を挿脱自在に挿通させるための挿通部７が設けられていることを特徴とする。
【０００８】
請求項４は、請求項１〜３の何れかに記載の防塵用頭巾において、前記挿通部７は、一端部８ａを上側帯状布部４ａの裏面側に縫着し且つ他端部８ｂを下側帯状布部４ｂの裏面側に縫着した矩形状布片８と、前記両帯状布部４ａ，４ｂの接合部５との間に形成されることを特徴とする。
【発明の効果】
【０００９】
上記解決手段による発明の効果を、後述する実施形態の参照符号を付して説明すると、請求項１に係る発明の防塵用頭巾は、帯状布部材４を構成する上側帯状布部４ａ及び下側帯状布部４ｂを装着者２０の顔面に密着させるように後方へ引張する密着用伸縮バンド６を備えているから、この密着用伸縮バンド６を頭部２１の後部側所要位置に掛着して伸縮調整することによって、頭巾装着者２０の種々異なった形や形態の顔に応じ、上側帯状布部４ａ及び下側帯状布部４ｂを装着者２０の顔面に的確に密着させることができ、従って装着者２０に付着した塵埃や装着者２０の頭髪が頭巾本体２の顔面開口部３から飛散するのを確実に防止でき、医薬品や食品を製造する工場、半導体を製造するクリーンルーム等で使用するのに好適である。
【００１０】
請求項２に係る発明によれば、密着用伸縮バンド６を、上側帯状布部４ａと下側帯状布部４ｂとの接合部５付近における交角θの略二等分線９に沿った位置に配置した状態で、この伸縮バンド６の端部６ａを上側帯状布部４ａと下側帯状布部４ｂとの接合部５に縫着しているから、上側帯状布部４ａ及び下側帯状布部４ｂの夫々に対する引張力の調整を有効且つ容易に行うことができる。
【００１１】
請求項３に係る発明によれば、上側帯状布部４ａと下側帯状布部４ｂとの接合部５の裏面側に、装着者２０がかける眼鏡２４の蔓２５を挿脱自在に挿通させるための挿通部７が設けてあるから、装着者２０が眼鏡２４をかける時は、眼鏡２４の蔓２５を挿通部７に挿通することにより、蔓２５の耳当て２５ａを耳２６に掛けることができる。また、挿通部７は帯状布部４ａ，４ｂの接合部５の裏面側にあって、この挿通部７に挿通した眼鏡２４の蔓２５は密着用伸縮バンド６によって接合部５と共に顔面に押し付けられるから、挿通部７に隙間が生じることはない。
【００１２】
請求項４に係る発明によれば、挿通部７は、一端部８ａを上側帯状布部４ａの裏面側に縫着し且つ他端部８ｂを下側帯状布部４ｂの裏面側に縫着した矩形状布片８と、両帯状布部４ａ，４ｂの接合部５との間に形成されるから、眼鏡２４の蔓２５を挿通部７に通した時に矩形状布片８がクッションとなり、眼鏡２４の蔓２５による不快な圧迫感を与えることがない。
【発明を実施するための最良の形態】
【００１３】
以下に本発明の好適実施形態を図面に基づいて説明すると、図１は本発明に係る防塵用頭巾１の正面図、図２の(a) は図１の矢印イで示す部分の拡大側面図、(b) は(a) に示す部分を裏側から見た図面である。図３は同防塵用頭巾１の使用状態を示す正面図、図４は同使用状態の側面図、図５は同使用状態を後斜めから見た斜視図である。この防塵用頭巾１は、装着者２０の頭部２１、頸部２２及び肩部２３を被うように形成された頭巾本体２を有する。頭巾本体２は、柔軟な複数枚の通気透湿性シート材を縫合することによって形成されるもので、装着者２０の頭部２１を被う頭部被部２ａと、この頭部被部２ａから下方へ末広がり状に延びて、装着者２０の頸部２２及び肩部２３を被う頸肩部被部２ｂと、からなり、頭部被部２ａには装着者２０の顔面の両眼、鼻及び口を露出させるための顔面開口部３が形成され、この顔面開口部３の周縁に沿って伸縮性の帯状布部材４が周設されている。
【００１４】
頭巾本体２の頸肩部被部２ｂは、図１から分かるように、フレヤースカート状に形成され、このフレヤースカート状頸肩部被部２ｂの下端部は、装着者２０の頭部２１を挿入させる頭部挿入口１０を形成している。
【００１５】
伸縮性帯状布部材４は、図１に示すように、顔面開口部３の上側周縁部３ａに沿って横方向へ略直線状に延び、装着者２０の額の眉毛を被うようになっている上側帯状布部４ａと、顔面開口部３の下側周縁部３ｂに沿って略Ｕ字状に延び、装着者２０の顔の両側面部から顎の下面に添うように配置される下側帯状布部４ｂとからなるもので、上側帯状布部４ａの両端部にＵ字状下側帯状布部４ｂの両端部が夫々接合され、これら帯状布部４ａ，４ｂの両接合部５，５には、図２〜図５に示すように、頭巾本体２の一部である頭部被部２ａの外側から装着者２０の頭部２１の後部側所要位置に掛着して、帯状布部材４を装着者２０の顔面に密着させるように後方へ引張するための密着用伸縮バンド６の両端部６ａ，６ａが縫着されている（その縫い目を図２にｔで示す）。
【００１６】
伸縮性帯状布部材４の上側帯状布部４ａ及び下側帯状布部４ｂは夫々、伸縮性と共に弾性を有するもので、ナイロン糸又はポリエステル糸とポリウレタン弾性糸とを編成した編み物により形成されている。好ましくは、吸水性と速乾性に優れたポリエステル糸１００％のものを用いるが、これに限定されることはなく、肌への刺激がなく不快感を生じない素材からなるものであればよい。顔面開口部３の上側周縁部３ａ及び下側周縁部３ｂに対し夫々非伸長状態で縫合されると共に、図２の(a) 及び(b) から分かるように、上側帯状布部４ａの端部の表側に下側帯状布部４ｂの端部が重ねあわされて縫合される（その縫い目をｔで示す）ことにより両帯状布部４ａ，４ｂの接合部５が形成されている。
【００１７】
密着用伸縮バンド６は、伸縮性帯状布部材４の上側帯状布部４ａ及び下側帯状布部４ｂより十分大きな伸縮性を有するもので、平打ち紐に芯としてゴム糸を入れたものによって形成されている。勿論これに限定されることはなく、肌への刺激がなく不快感を生じない素材からなるものであればよい。この伸縮バンド６の端部は、図２の(a) 及び(b) に示すように、上記両帯状布部４ａ，４ｂの接合部５の表側に縫着される。図２の(a) は両帯状布部４ａ，４ｂの接合部５を表側から見た図面であり、(b) は同接合部５を裏側から見た図面である。
【００１８】
また密着用伸縮バンド６は、図２の(a) に示すように、上側帯状布部４ａと下側帯状布部４ｂとの接合部５付近における交角θの略二等分線９に沿った位置に配置された状態で、この伸縮バンド６の端部６ａが上側帯状布部４ａと下側帯状布部４ｂとの接合部５に縫着されている。このように伸縮バンド６を交角θの略二等分線９に沿って配置することで、防塵用頭巾１を使用する際の上側帯状布部４ａ及び下側帯状布部４ｂの引張操作を容易に且つ的確に行うことができるが、これについては後述する。尚、交角θは例えば７５°である。
【００１９】
図３〜図５に示すように、伸縮性帯状布部材４の上側帯状布部４ａと下側帯状布部４ｂとの接合部５の裏面側には、装着者２０がかける眼鏡２４の蔓２５を挿脱自在に挿通させるための挿通部７が設けられている。この挿通部７は、図２の(a) 及び(b) を参照すれば分かるように、上側帯状布部４ａと下側帯状布部４ｂとの接合部５近傍において一端部８ａを上側帯状布部４ａの裏面側に縫着し且つ他端部１ｂを下側帯状布部４ｂの裏面側に縫着した矩形状布片８と、両帯状布部４ａ，４ｂの接合部５との間に形成される。矩形状布片８の両端部８ａ，８ｂの縫着部の縫い目をｔで示す。この矩形状布片８は、伸縮性帯状布部材４の上側帯状布部４ａ及び下側帯状布部４ｂと同じものからなる。
【００２０】
頭巾本体２を形成する通気透湿性シート材には織物や編み物を使用することができる。織物としては、ローン、デシン、ジョーゼット、タフタ、ブロード、ギンガム、モスリン、羽二重、ちりめん等の平織物、ツイル、サージ、カシミヤ、ギャバジン等の綾織物、サテン、ドス金等の朱子織物を使用することができる。編み物としては、平編、リブ編、パール編等のよこ編物、トリコット、ラッセル、ミラーズ等のたて編物を使用することができる。織物や編み物は、装着者に付着した塵埃や装着者の頭髪が頭巾１の外側に出てしまうことがないように、織物や編み物を形成する繊維間の間隙が小さく、目が細かいことが好ましい。
【００２１】
上記のように構成される防塵用頭巾１を装着する方法について、図３〜図７を参照して説明すると、先ず、装着者２０が頸肩部被部２ｂの下端部の頭部挿入口１０を広げて、この挿入口１０から頭部２１を頭巾本体２内に通し入れた後、頸肩部被部２ｂを引き下げて、頭部２１に頭部被部２ａを被り、密着用伸縮バンド６を頭部２１の後部側所要部に掛けて、帯状布部材４の上側帯状布部４ａ及び下側帯状布部４ｂを適宜引張した状態で顔面所要部に密着させる。即ち、上側帯状布部４ａは両眼の上側にあって眉毛を被うような位置でおでこ（額）部分に密着させるようにし、また下側帯状布部４ｂは、図３及び図４に示すように、その中央部４ｂｏ側を装着者２０の顎に掛けることによって、顔面の両側面部から顎の下面に沿って顔面の下半部周辺に密着させるようにする。
【００２２】
図３〜図５に示す装着例では、図４から分かるように、密着用伸縮バンド６を、帯状布部材４の上側帯状布部４ａと略同一直線状になるように頭部２１の後部側に掛着して、上側帯状布部４ａを引張しているが、これは、装着者２０のおでこ（額）部分の高さが普通より低めであるため、おでこ部分に当接する上側帯状布部４ａがこのおでこ部分に沿って隙間なく顔面に密着するように頭部２１の後方側へ比較的強く引張する必要がある一方、装着者２０の顔が丸顔で肉付きも良く、上側帯状布部４ａは軽く引っ張ってやれば、顔面に十分密着させることができるからである。
【００２３】
即ち、図４及び図５に示すように、密着用伸縮バンド６を、帯状布部材４の上側帯状布部４ａと略同一直線状になるように頭部２１の後部側に掛着した場合は、上側帯状布部４ａが強く引っ張られる一方、この密着用伸縮バンド６に対して概ね直角に交差した状態となっている下側帯状布部４ｂには密着用伸縮バンド６の引張力が僅かしか作用せず、これによって帯状布部材４の全体、つまり上側帯状布部４ａ及び下側帯状布部４ｂを顔面に対して一様に隙間なく的確に密着させることができる。
【００２４】
また、密着用伸縮バンド６を、図６に示すように、帯状布部材４の下側帯状布部４ｂと略同一直線状になるように頭部２１の後部上方側に掛着した場合には、下側帯状布部４ｂが強く引っ張られる一方、この密着用伸縮バンド６に対し概ね直角に交差した状態となる上側帯状布部４ａには密着用伸縮バンド６の引張力が僅かしか作用しなくなる。従って、例えば、装着者２０のおでこ部分の高さが普通の人より高いため、上側帯状布部４ａは軽く引っ張ってやれば良いが、例えば顔が比較的細く、痩せ顔であることから、その顔面部分に沿って隙間なく密着させるように下側帯状布部４ｂを強く引っ張ってやる必要がある場合は、この図６に示すように密着用伸縮バンド６を下側帯状布部４ｂと略同一直線状になるように頭部２１の後部上方側に掛着すればよく、そうすることによって上側帯状布部４ａ及び下側帯状布部４ｂを顔面に対し隙間なく的確に密着させることができる。
【００２５】
また、帯状布部材４の上側帯状布部４ａと下側帯状布部４ｂとを略均等に引っ張ってやればよい場合には、図７に示すように、密着用伸縮バンド６が上側帯状布部４ａと下側帯状布部４ｂとの接合部５付近における交角の略二等分線に沿って位置するように、この密着用伸縮バンド６を頭部２１の後部側に掛着すればよい。ごのように密着用伸縮バンド６を上側帯状布部４ａと下側帯状布部４ｂとの略二等分線に沿うように位置させた場合は、密着用伸縮バンド６の引張力が上側帯状布部４ａと下側帯状布部４ｂとに略均等に作用して、これら両帯状布部４ａ，４ｂが顔面に対し隙間なく的確に密着することができる。
【００２６】
また、この密着用伸縮バンド６は、図２によって説明したように、上側帯状布部４ａと下側帯状布部４ｂとの接合部５付近における交角θの略二等分線９に沿った位置に配置された状態で、この伸縮バンド６の端部６ａが上側帯状布部４ａと下側帯状布部４ｂとの接合部５に縫着されているから、上側帯状布部４ａ及び下側帯状布部４ｂの夫々に対する引張力の調整を有効且つ容易に行うことができる。因みに、密着用伸縮バンド６が例えば上側帯状布部４ａ同一直線状に位置する状態で、この伸縮バンド６の端部６ａが上側帯状布部４ａと下側帯状布部４ｂとの接合部５に縫着されているとすれば、この伸縮バンド６を上側帯状布部４ａと同一直線状に引っ張る時は問題ないが、この伸縮バンド６を下側帯状布部４ｂと同一直線状に引っ張っても、その下側帯状布部４ｂに対して引張力を作用させることが困難となる。
【００２７】
以上説明したように、この防塵用頭巾１を使用すれば、頭巾装着者２０の種々異なった形や形態の顔に応じて、また顔を動かす時にも、伸縮性帯状布部材４の上側帯状布部４ａ及び下側帯状布部４ｂを装着者２０の顔面に的確に密着させることができ、その顔面と上側帯状布部４ａ及び下側帯状布部４ｂとの間に隙間を生じさせることがないから、装着者２０に付着した塵埃や装着者２０の頭髪が頭巾本体２の顔面開口部３から飛散するのを確実に防止でき、医薬品や食品を製造する工場、半導体を製造するクリーンルーム等で使用するのに好適である。
【００２８】
そして、頭巾本体２が通気透湿性シート材によって形成されているから、装着時に頭巾本体２内の湿気を外部に逃がすことができ、頭巾１を長時間装着しても、頭巾本体２内が蒸れるようなことがない。
【００２９】
また、この防塵用頭巾１では、上側帯状布部４ａと下側帯状布部４ｂとの接合部５の裏面側に、装着者２０がかける眼鏡２４の蔓２５を挿脱自在に挿通させるための挿通部７が設けられているから、装着者２０が眼鏡２４をかける時は、眼鏡２４の蔓２５を挿通部７に挿通することにより、耳当て２５ａを耳２６に掛けることができる。また、挿通部７は帯状布部４ａ，４ｂの接合部５の裏面側に設けられていて、この挿通部７に挿通した眼鏡２４の蔓２５は密着用伸縮バンド６によって接合部５と共に顔面に押し付けられるから、挿通部７には眼鏡２４の蔓２５との間に隙間が生じることはない。
【００３０】
また、この挿通部７は、一端部８ａを上側帯状布部４ａの裏面側に縫着し且つ他端部８ｂを下側帯状布部４ｂの裏面側に縫着した矩形状布片８と、両帯状布部４ａ，４ｂの接合部５との間に形成されるから、眼鏡２４の蔓２５を挿通部７に通した時に矩形状布片８がクッションとなり、眼鏡２４の蔓２５による不快な圧迫感を与えるようなことがない。
【００３１】
尚、この防塵用頭巾１は、製造にあたって、装着者２０の頭部２１の大きさによって、例えば、Ｌサイズ（大）とＭサイズ（中）とＳサイズ（小）の３種類が用意され、そして各サイズ毎に密着用伸縮バンド６によって顔面に対する上側帯状布部４ａ及び下側帯状布部４ｂの密着調整が行えるようにしている。
【００３２】
上述した実施形態では、頭巾本体２の顔面開口部３は、装着者２０の顔面の両眼、鼻及び口が露出するように形成しているが、両眼だけ露出するように形成してもよいし、あるいは両眼と鼻が露出するようにして形成してもよい。
【図面の簡単な説明】
【００３３】
【図１】本発明に係る防塵用頭巾の正面図である。
【図２】(a) は図１の矢印イで示す部分の拡大側面図、(b) は(a) に示す部分を裏側から見た図面である。
【図３】同防塵用頭巾の使用状態を示す正面図である。
【図４】同使用状態の側面図である。
【図５】同使用状態を後斜めから見た斜視図である。
【図６】同防塵用頭巾の他の使用状態を示す側面図である。
【図７】同防塵用頭巾の更に他の使用状態を示す側面図である。
【符号の説明】
【００３４】
１          防塵用頭巾
２          頭巾本体
２ａ        頭部被部
２ｂ        頸肩部被部
３          顔面開口部
４          伸縮性の帯状布部材
４ａ        上側帯状布部
４ｂ        下側帯状布部
５          接合部
６          密着用伸縮バンド
６ａ        密着用伸縮バンドの端部
７          挿通部
８          矩形状布片
１０        頭部挿入口
２０        装着者
２１        頭部
２２        頸部
２３        肩部
２４        眼鏡
２５        眼鏡の蔓
【図１】
2006022434.tif 000003
【図２】
2006022434.tif 000004
【図３】
2006022434.tif 000005
【図４】
2006022434.tif 000006
【図５】
2006022434.tif 000007
【図６】
2006022434.tif 000008
【図７】
2006022434.tif 000009